(57)【特許請求の範囲】
【請求項１】
上がりかまちを境に玄関床と玄関土間が形成された玄関で、高齢者が立ちしゃがみに使用する玄関椅子にして、該玄関椅子を、突起物のない天板たる座面および無底の足引き空間を有する横長長方体状に構成し、該座面の横巾を、着座スペ−スおよび前記高齢者の両手つきスペ−スとに拡げ、該座面の前縁のみに高齢者の握持用庇を張出すと共に、該座面をその端部で支持する両側板の各前端面下方に転倒防止用接地部を張出すことにより、高齢者の立ちしゃがみによっても当該玄関椅子が転倒しないようにしたことを特徴とするバリアフリ−用玄関椅子。
【請求項２】
前記転倒防止用接地部の張出量を、庇の張出量と玄関土間の非水平性を修正する約１ｃｍの張出量とで構成した請求項１に記載のバリアフリ−用玄関椅子。
【発明の詳細な説明】
【０００１】
【発明の属する技術分野】
本発明は、バリアフリ−用玄関椅子に関するものである。
【０００２】
【従来の技術】
最近、高年齢者（高齢者）、障害者など、身体の一部または全部に機能を低下している人など、健全な人（健常者）と同じ行動ができない人に対し、特別の配慮をするようになった。
【０００３】
すなわち、高年齢者や障害者もそれぞれ生活自立し、社会に積極的に関与することが、健全な社会の必須であり、そのため、ハンディの状態を正しく把握し、設備や道具などの使いにくさ（バリア）を排除する、つまりバリアフリ−がクロ−ズアップされるようになった。
【０００４】
ところで、家庭内で高年齢者へのバリアフリ−デザインの一つに、立ちしゃがみにおけるバリアフリ−が考えられ、これは高齢になると立ちしゃがみがつらくなり、また立ちしゃがみの動作がバランスを崩しやすくなる、という観点から、例えば家庭の玄関において、上がりかまち近傍での上下移動動作、すなわち、靴等の履物の脱着や履物の手直し等を容易にするための、立ちしゃがみに利用できる玄関ベンチや玄関椅子の設置を奨励している。
【０００５】
かかる玄関椅子に関して、次のような提案が紹介されている（特許第３０５１８１５号公報参照）。
【０００６】
これを図４で説明する。図示は、一般家庭の玄関の模式図であるが、上がりかまち１００を境に、玄関床１０１と玄関土間１０２とが形成され、該玄関土間１０２上に、次のような玄関椅子１０３が上がりかまち１００および玄関壁１０４に沿って設置されている。
【０００７】
この玄関椅子１０３は、化粧単板を貼着した化粧合板や木板等で形成され、かつ、高年齢者等が腰をかけるための４角状座面用天板１０５と、この天板１０５を支える左右１対の長方形状の脚部１０６，１０６と、から構成されている。この脚部１０６も化粧合板や木板等で形成されている。
【０００８】
この玄関椅子１０３によると、一般の玄関では上がりかまち１００が低い（約１０ｃｍ）ので、高年齢者にとって履物の脱着動作の際、足腰に負担をかけるが、高年齢者は、この玄関椅子１０３の天板１０５に一旦腰をかけて履物の脱着を行い、次いで、玄関床１０１または玄関土間１０２へ移動するので、足腰に負担をかけない、とされている。
【０００９】
【発明が解決しようとする課題】
ところが、かかる玄関椅子１０３では、前記の高年齢者へのバリアフリ−デザインの一つである、高年齢者の立ちしゃがみ動作がバランスを崩しやすくなる、という要件を充分に満足しない、という問題があった。
【００１０】
すなわち、高年齢者の動作のバランス崩しに対する、玄関椅子１０３の安定性については充分に配慮されていない、という問題があった。
【００１１】
勿論、この玄関椅子１０３を上がりかまち１００や玄関壁１０４等にしっかりと固定すれば、椅子の転倒は避けられるが、このような固定手段を用いれば、費用がかかり、また、いずれの家庭用玄関にも適用できないことから採用できない。
【００１２】
そこで本発明は、かかる問題を解決する機会に、安価で且つ汎用性にも優れてた玄関椅子の提供を目的するものである。
【００１３】
【課題を解決するための手段】
かかる目的を達成するため、本発明の要旨とするところは、１）上がりかまちを境に玄関床と玄関土間が形成された玄関で、高齢者が立ちしゃがみに使用する玄関椅子にして、該玄関椅子を、突起物のない天板たる座面および無底の足引き空間を有する横長長方体状に構成し、該座面の横巾を、着座スペ−スおよび前記高齢者の両手つきスペ−スとに拡げ、該座面の前縁のみに高齢者の握持用庇を張出すと共に、該座面をその端部で支持する両側板の各前端面下方に転倒防止用接地部を張出すことにより、高齢者の立ちしゃがみによっても当該玄関椅子が転倒しないようにしたことを特徴とするバリアフリ−用玄関椅子にあり、また、２）前記転倒防止用接地部の張出量を、庇の張出量と玄関土間の非水平性を修正する約１ｃｍの張出量とで構成した請求項１に記載のバリアフリ−用玄関椅子にある。
【００１４】
【発明の実施の形態】
本発明を添付図面に示す実施例により詳細に述べる。
【００１５】
図１は本発明の実施例の縦断面図（図２のＡ矢印断面図）、図２は図１の一部切断正面図、図３（Ａ）は図１の側面図、（Ｂ）は部品詳細図であって、図４で示す従来例と同一または均等部分は同一符号を付したり、その図示および説明を簡略ないし省略したりする。
【００１６】
本発明の実施例の玄関椅子（ベンチともいう）１は、木製（勿論、天然木に限らず、木材代替用合成樹脂成形材等玄関に設置しても相応しい木製風の材料であればよい）であって、滑り止めタイルや化粧レンガやコンクリ−ト打設面で構成された玄関土間１０２に単に設置される。したがって、玄関椅子１の脚部２の先端が玄関土間１０２に没入して設置されることはない。
【００１７】
この玄関椅子１は、正面視で両側（横方向または左右方向の両側をいう）端に設けた１対の側板たる板状の脚部２，２により、座面たる天板３を支持しており、したがって、この玄関椅子１は無底の足引き空間を有する直方体状に構成した、ということができる。
【００１８】
これらの天板３と脚部２，２とで形成された門形空間には、スリッパ等を収納する引出し４を設けている。また、この天板３には手すり等の突起物はなく単なる平坦面を形成している。
【００１９】
それ故、この玄関椅子１は玄関土間１０２に設置されて、いずれか一方の脚部２の外側面５が上がりかまち１００の前端面に接し、しかも、天板３の後縁６および脚部２の後端面７が玄関壁１０４に接するように設置することができる。この設置には玄関土間１０２の入口正面からみて左右いずれの方にもできる。つまり、左または右勝手に使うことができる。
【００２０】
このように、この玄関椅子１は、上がりかまち１００と玄関壁１０４とのコ−ナに設置するのが望ましいが、勿論、玄関の仕様によっては玄関壁１０４に接することができない場合もあるので、少なくとも、玄関床（当然、玄関廊下も含む）１０１への移動を行うため、上がりかまち１００の前端面には接するように設置する。
【００２１】
したがって、使用者たる高年齢者等が履物を脱ぐときは、この玄関椅子１の座面たる天板３に腰をかけてから脱ぎ、次いで、その尻を中心に身体を回転させて玄関床１０１に向けて足を下ろし、その後立ち上がれば、足腰に負担をかけず身体の上下移動が少なくてすみ、ひいては、立ち上がりが楽になる。また、この高年齢者等が履物を履くときはこれと逆の動作をとればよい。
【００２２】
ここにおいて、この玄関椅子１には、次のような転倒防止策を構じている。すなわち、高年齢者等がぎこちなく立ちしゃがみして動作のバランスを崩しそうになっても、次のように、この玄関椅子１が転倒しないようにしている。
【００２３】
先ず、天板３の奥行きは長時間着座しないことから、通常の作業用椅子の奥行き長さ３８ｃｍ〜４２ｃｍより短くして、約３５ｃｍとし、玄関土間１０２の占有面積を節減して小形化しており、その分、天板３の横巾は使用者の着座スペ−スのみならず、立ちしゃがみの際に当事者が両手をつけるスペ−ス用の横巾（約６０ｃｍ）のみを付加し、楽に立ちしゃがみできるようにすると共に、椅子を横方向に拡大して安定化を図っている。したがって、前記直方体は横長の直方体状（長方体状）に構成した、ということができる。
【００２４】
次に、この天板３には、その前縁に限り庇８を前方に（左右方向と直交した前方向をいう）一体に張出し、この庇８を高年齢者等の立ちしゃがみの際の握り部に形成している。
【００２５】
そのため、庇８の張出量は、天板３の厚さが衝撃的な着座荷重にもよく耐え変形しないような略最小厚さ（例えば天然木で２ｃｍ）に対し、約２倍の長さ（４〜５ｃｍ）に張出して、握り易くしている。
【００２６】
したがって、従来一般の天板のように座面拡大や足引きスペ−ス（着座したとき足のかかとが後ろに引けるスペ−スのこと）の確保のためではなく、把持容易のため前方に張出した庇８としている。
【００２７】
したがって、この天板３によると、高年齢者たる使用者は立ちしゃがみの際、着座・起立と共に、両手を天板３上についたり、庇８を把持したりして動作できるので、立ちしゃがみが楽になると共に、動作のバランスの崩れを防ぐ。
【００２８】
特に、着座時には天板３に両手をついて着座し、起立時には庇８を把持して起立することを奨励する。
【００２９】
一方、かかる庇８を形成することにより（全体を単なる長方体に形成した椅子に比べ）、前倒れモ−メントが発生し易いので、天板３の前縁に限り庇８を形成し、天板３の後縁６や両側縁１５，１５には庇を形成せず、脚部２の後端面７や外側面５と垂直方向に面一に形成している。
【００３０】
したがって、これらの天板３の後縁６や両側縁１５，１５を高齢者が把持できないようにして、把持による体重の集中荷重を避けている。
【００３１】
もし、天板３の後縁６や両側縁１５，１５に上方からの集中荷重が作用しても、これらの荷重は直ちに脚部２，２で支持し、転倒させるモ−メントの発生を防止し、その上、上がりかまち１００や玄関壁１０４に密接して設置でき、少なくとも、玄関椅子１の後向きや横向きの転倒を皆無とし、あたかも、これらの部材に固定されているようにしている。
【００３２】
特に、庇８を把持したまま起立すると、玄関椅子１が後方へ転倒するので、これを防いでいる。しかも、これにより、玄関土間１０２の占有面積を節減している。
【００３３】
他方、前記庇８には転倒、特に前倒れモ−メントの発生のおそれがあるので、次のような転倒防止策を構じている。
【００３４】
前記のように、側板たる脚部２は板体でできているので、その側面視での板加工は容易にできることから、脚部２の前端面９の下方のみに庇８の前方張出量より大の前方張出量をもつ転倒防止用接地部１０を形成し、この形成を容易に加工している。
【００３５】
図示では、前方の接地部１０と、後方の接地部１０とに分けて形成し、接地部をベタ面にすることを避けているが、ベタ面でもよい。
【００３６】
この転倒防止用接地部１０の張出量は、多くの玄関土間１０２を調査し、かつ、実験によると、後記の座面（天板３）の高さを約３８〜４０ｃｍ程度にしたとき、庇８の張出量より、少なくとも約１ｃｍ程度の増加でよいことが判明した。
【００３７】
すわなち、転倒防止用接地部１０の張出量を庇８の張出量と等しくすると、玄関土間１０２は正確には水平でなく流水のため傾斜を設けたり、表面粗さを有したりするが、もし、玄関椅子１が若干前かがみに設置されると前倒れモ−メントが発生するので、前記等しくすれば、これらの玄関土間の非水平性を修正できず、また、これを２ｃｍ以上にとっても、特に転倒防止を向上することはなく、かえって足を引っ掛けたり玄関土間１０２のスペ−スを占めることになるので、若干の約１ｃｍとした。
【００３８】
したがって、この玄関椅子１によると、高年齢者が庇８を把持したまま着座しようとしたり起立したりすると、この庇８に上方から体重の一部である集中荷重が作用するが、これを転倒防止用接地部１０で支持し、転倒モ−メントを発生させない。したがって、玄関椅子１は前倒れしない。
【００３９】
この転倒防止用接地部１０を更に述べる。図１において、Ａは全体の庇８の張出量であり、ａは脚部２における庇８の張出量を示し、Ｂは、このＡに対応支持する転倒防止用接地部１０の接地寸法と、玄関土間１０２の非水平性を修正する張出量との合算を示している。ｂは、ａの張出量と、玄関土間１０２の非水平性を修正する張出量ｃとの合算を示している。
【００４０】
また、この玄関椅子１の座面（天板３）高さは、立ちしゃがみを楽にするため、玄関土間１０２の表面から約３８〜４２ｃｍとして、軽休息用椅子の高さ３８〜４０ｃｍに相当させている。したがって、一般の椅子座面より若干低目にしている。
【００４１】
なお、図１および図２中、１１は引出し４の取っ手、１２は棚板、１３は横桟、１４は後板を示す。この引出し４は単段または２段にするが、いずれにしても、その下方に無底の足引きスペ−スを残しておく。
【００４２】
次に、本実施例の玄関椅子１には、天板３の左右いずれか一方の側縁１５に次のようなステッキ支え１６を着脱自在に設けている。
【００４３】
図３（Ｂ）において、（Ｂ１）は一部切欠平面図、（Ｂ２）は縦断面図、（Ｂ３）は正面図であるが、このステッキ支え１６は平面視でコ字状の木製枠で作り、コ字連結部１７を側縁１５の外面に接合して取付ける。そのため、コ字両足部にビス用貫通孔１８を設ける一方、天板３の両側縁１５，１５に２つの埋込ナット１９，１９を設けて、このステッキ支え１５をビス止め２０する。
【００４４】
勿論、この玄関椅子１は、前記のように当該玄関に入って、正面からみて左右いずれの玄関壁１０４へも接するように設置するので、このステッキ支え１６もいずれの反玄関床１０１側にも取付けるようにする。
【００４５】
なお、本発明のバリアフリ−用玄関椅子は、実施例が好適であるが一般家庭のみならず、他の玄関に設置してもよく、また、高年齢者以外の人も使用してもよいことは勿論である。
【００４６】
【発明の効果】
本発明によると、玄関椅子の座面に高齢者の両手つきスペ−スや、その前縁のみに、手すりに代る把持用庇を設けて、高齢者による立ちしゃがみ動作の円滑化を配慮したので、バリアフリ−用玄関椅子の信頼性を高めることができる。
【００４７】
こればかりでなく、庇を設けたことによる椅子前倒れ防止策を構じたので、つまり、庇と１対１に直結した転倒防止策を構じたので、高齢者の動作バランス崩しによる椅子転倒も合せて行い、バリアフリ−用玄関椅子の信頼性を高めることができる。
【００４８】
また、椅子を横長直方体状に構成し、座面たる天板に突起物をなくしているので、尻を中心とする身体の向き変更が容易となり、しかも、上がりかまちや玄関壁に密接して設置できるばかりか、簡素・安価な椅子を提供することができる。
【００４９】
その上、玄関土間の非水平性を配慮して、いわば安全率を加味して転倒防止用接地部を設けたので、大概の玄関土間に適合できて汎用性を保ちながら、安心して設置することができる。つまり、扱い易く、かつ、きわめて簡素でありながら、高年齢者が立ちしゃがみしても倒れにくくすることができる。
【図面の簡単な説明】
【図１】本発明の実施例の縦断面図（図２のＡ矢印断面図）である。
【図２】図１の一部切断正面図である。
【図３】（Ａ）は図１の側面図、（Ｂ）は部品詳細図である。
【図４】従来例である。
【符号の説明】
１…玄関椅子、２…脚部、３…天板、８…庇、１０…転倒防止用接地部、１００…上がりかまち、１０１…玄関床、１０２…玄関土間、１０４…玄関壁
【図１】
0004584430.tif 000002
【図２】
0004584430.tif 000003
【図３】
0004584430.tif 000004
【図４】
0004584430.tif 000005